(57)【特許請求の範囲】
【請求項１】
熱源となるガス燃焼部と、衣類を収納し乾燥させる回転ドラムと、前記回転ドラム内に前記ガス燃焼部により加熱された熱風を供給する送風ファンと、前記回転ドラムと前記送風ファンを駆動するモータと、前記回転ドラムに装着され衣類から出るリントが機外に放出されないように前記リントを溜めるフィルターと、前記ガス燃焼部の近傍に配設され前記ガス燃焼部により加熱された熱風の温度を検出する温度センサと、前記温度センサからの温度を検出する温度検知手段と、前記回転ドラムの回転数を検出する回転数検知手段と、前記温度検知手段により検出された温度の変化を算出する演算手段と、前記演算手段にて得られた温度変化の値を所定の値と比較する温度変化比較手段と、前記モータなどの動作を制御する制御手段と、前記フィルターに多量のリントが溜まっていることの報知を行う報知手段とを備え、前記制御手段は、運転開始後第１の所定時刻において前記モータの回転数を所定の回転数に下げた後、所定時間後の第２の所定時刻において元の回転数に戻すように制御し、この第１の所定時刻と第２の所定時刻間の所定時間中に、前記温度変化比較手段が、前記演算手段にて算出した温度変化の値と前記所定の値とを比較し、前記温度変化の値が前記所定の値より小さいと判定した場合には、前記報知手段により報知するように構成したガス衣類乾燥機。
【請求項２】
制御手段は、報知手段による報知を運転終了後に行うように構成した請求項１記載のガス衣類乾燥機。
【請求項３】
温度変化比較手段は、演算手段にて得られた温度変化の値を複数の所定の値と比較し、その水準に応じて報知手段による報知を行うように構成した請求項１または２記載のガス衣類乾燥機。
【請求項４】
回転ドラムの投入口部に配設した蓋の開閉に連動して作動する蓋スイッチを備え、制御手段は、運転中に前記蓋スイッチが開の状態になったとき運転を一時停止し、前記蓋スイッチが再び閉の状態になったとき運転を再開するとともに、温度変化比較手段からの情報を一旦取り消し、運転開始後第３の所定時刻においてモータの回転数を所定の回転数に下げた後、所定時間後の第４の所定時刻において元の回転数に戻すように制御し、この第３の所定時刻と第４の所定時刻間の所定時間中に、温度変化比較手段が、演算手段にて算出した温度変化の値と所定の値とを比較し、前記温度変化の値が前記所定の値より小さいと判定した場合には、報知手段により報知するように構成した請求項１記載のガス衣類乾燥機。
【発明の詳細な説明】
【０００１】
【発明の属する技術分野】
本発明は、都市ガスまたはプロパンガスなどを機体内で燃焼し、熱風を回転ドラム内に供給して衣類を乾燥するガス衣類乾燥機に関するものである。
【０００２】
【従来の技術】
従来、この種のガス衣類乾燥機は、図１０に示すようなものが一般的であった。以下、その構成について説明する。
【０００３】
図に示すように、外枠１は、回転ドラム２を前部の開口部に設けたドラム支持板３で支持し、後部はシャフト４を介してファンケース５にて回転自在に支持している。この回転ドラム２の奥壁にはフィルター６およびフィルターカバー７を装着し、衣類から出るリントが機外に放出しないようにしている。モータ８はファンベルト９にてファンケース５内に設けた送風ファン１０に連結し、回転ドラム２内に熱風を送風して衣類を乾燥する。
【０００４】
また、回転ドラム２内の衣類を攪拌するために、モータ８と連結したドラムベルト１１を介して回転ドラム２を回転する。ガス燃焼部１２は、外枠１内に設けた燃焼室１３に収納し、ガスを燃焼して回転ドラム２内に供給する熱風を加熱する。電磁開閉弁１４は、ガス燃焼部１２で燃焼するガスの供給、遮断を行う。
【０００５】
また、温度センサ１５は、ガス燃焼部１２の近傍に配設しており、ガス燃焼部１２により加熱された熱風の温度を検出する。フィルター６にリントが溜まってくると風量が減少し、ガス燃焼部１２の近傍に配設された温度センサ１５の温度が高くなる。温度センサ１５の温度が設定値よりも高くなったときは、フィルター６にリントが溜まっていると判断し報知するように構成している。
【０００６】
【発明が解決しようとする課題】
このような従来の構成では、ガス燃焼部１２の近傍に配設された温度センサ１５の温度の絶対値によりフィルター６のリントの溜まり具合を判断しているので、雰囲気温度の影響を受けやすく、使用者にフィルター６の掃除を促すために報知したときの実際のリントの溜まり具合には大きなばらつきがあった。
【０００７】
本発明は、雰囲気温度の影響を受けずにフィルターのリントの溜まり具合を正確に検知して報知することを目的としている。
【０００８】
【課題を解決するための手段】
本発明のガス衣類乾燥機においては、衣類を収納し乾燥させる回転ドラム内にガス燃焼部により加熱された熱風を送風ファンにより供給し、衣類から出るリントが機外に放出されないようにリントを溜めるフィルターを装着した回転ドラムと送風ファンをモータにより駆動し、回転ドラムの回転数を回転数検知手段により検出する。ガス燃焼部の近傍に配設され熱風の温度を検出する温度センサからの温度を温度検知手段により検出し、検出された温度の変化を演算手段により算出し、この温度変化の値を温度変化比較手段により所定の値と比較する。制御手段は、運転開始後第１の所定時刻においてモータの回転数を所定の回転数に下げた後、所定時間後の第２の所定時刻において元の回転数に戻すように制御し、この第１の所定時刻と第２の所定時刻間の所定時間中に、温度変化比較手段が、前記演算手段にて算出した温度変化の値と前記所定の値とを比較し、温度変化の値が所定の値より小さいと判定した場合には、報知手段によりフィルターに多量のリントが溜まっていることの報知するように構成したものである。
【０００９】
これにより、雰囲気温度の影響を受けずにフィルターのリントの溜まり具合を正確に検知して報知することができる。
【００１０】
【発明の実施の形態】
本発明の請求項１に記載の発明は、熱源となるガス燃焼部と、衣類を収納し乾燥させる回転ドラムと、前記回転ドラム内に前記ガス燃焼部により加熱された熱風を供給する送風ファンと、前記回転ドラムと前記送風ファンを駆動するモータと、前記回転ドラムに装着され衣類から出るリントが機外に放出されないように前記リントを溜めるフィルターと、前記ガス燃焼部の近傍に配設され前記ガス燃焼部により加熱された熱風の温度を検出する温度センサと、前記温度センサからの温度を検出する温度検知手段と、前記回転ドラムの回転数を検出する回転数検知手段と、前記温度検知手段により検出された温度の変化を算出する演算手段と、前記演算手段にて得られた温度変化の値を所定の値と比較する温度変化比較手段と、前記モータなどの動作を制御する制御手段と、前記フィルターに多量のリントが溜まっていることの報知を行う報知手段とを備え、前記制御手段は、運転開始後第１の所定時刻において前記モータの回転数を所定の回転数に下げた後、所定時間後の第２の所定時刻において元の回転数に戻すように制御し、この第１の所定時刻と第２の所定時刻間の所定時間中に、前記温度変化比較手段が、前記演算手段にて算出した温度変化の値と前記所定の値とを比較し、前記温度変化の値が前記所定の値より小さいと判定した場合には、前記報知手段により報知するように構成したものであり、モータの回転数を変化させて制御することにより、風量を変化させたときの温度センサの温度の変化からフィルターのリントの溜まり具合を判定することができ、雰囲気温度の影響を受けずにフィルターのリントの溜まり具合を正確に検知して報知することができる。
【００１１】
請求項２に記載の発明は、上記請求項１に記載の発明において、制御手段は、報知手段による報知を運転終了後に行うように構成したものであり、フィルターのリントの溜まり具合を正確に検知し、使用者が運転終了後に衣類を取り出すときに報知することができる。
【００１２】
請求項３に記載の発明は、上記請求項１または２に記載の発明において、温度変化比較手段は、演算手段にて得られた温度変化の値を複数の所定の値と比較し、その水準に応じて報知手段による報知を行うように構成したものであり、雰囲気温度の影響を受けずにフィルターのリントの溜まり具合を正確に検知し、リントの溜まり具合を段階的に報知することができる。
【００１３】
請求項４に記載の発明は、上記請求項１に記載の発明において、回転ドラムの投入口部に配設した蓋の開閉に連動して作動する蓋スイッチを備え、制御手段は、運転中に前記蓋スイッチが開の状態になったとき運転を一時停止し、前記蓋スイッチが再び閉の状態になったとき運転を再開するとともに、温度変化比較手段からの情報を一旦取り消し、運転開始後第３の所定時刻においてモータの回転数を所定の回転数に下げた後、所定時間後の第４の所定時刻において元の回転数に戻すように制御し、この第３の所定時刻と第４の所定時刻間の所定時間中に、温度変化比較手段が、演算手段にて算出した温度変化の値と所定の値とを比較し、前記温度変化の値が前記所定の値より小さいと判定した場合には、報知手段により報知するように構成したものであり、使用者が運転途中でフィルターのリントを除去するために蓋を開閉した場合は、フィルターのリントの溜まりによる報知を取り消すことができ、運転再開後に、フィルターにリントが溜まっている場合は、雰囲気温度の影響を受けずにフィルターのリントの溜まり具合を正確に検知して報知することができる。
【００１４】
【実施例】
以下、本発明の実施例について、図面を参照しながら説明する。なお、従来例と同じ構成のものは同一符号を付して説明を省略する。
【００１５】
（実施例１）
図１および図２に示すように、回転ドラム２は、磁石１６を取り付け、この磁石１６と乾燥機本体に固定した磁気センサ１７とにより、回転ドラム２の回転数に応じたパルス信号を発生し、回転数検知手段１８はそのパルス信号を入力し、そのパルスの周期より回転ドラム２の回転数を検知するようにしている。
【００１６】
回転数設定手段１９は、制御手段２０の出力により回転ドラム２の回転数を設定する。回転数比較手段２１は、回転数検知手段１８により検知した回転ドラム２の回転数と回転数設定手段１９で設定した設定回転数とを比較し、この回転数比較手段２１の出力により導通時間制御手段２２を介してモータ８に直列に接続した双方向性サイリスタ２３の導通角を制御してモータ８の回転数を制御するようにしている。最も簡単な導通時間制御方法として位相制御が考えられる。インバータの場合は導通時間だけでなく周波数も制御できる。
【００１７】
温度検知手段２４は温度センサ１５からの温度を検出する。マイクロコンピュータ２５は、回転数比較手段２１と、温度検知手段２４により検出された温度の変化を算出する演算手段２６と、演算手段２６にて得られた温度変化の値を設定値と比較する温度変化比較手段２７と、回転数設定手段１９や報知手段２８を制御する制御手段２０とによって構成している。
【００１８】
制御手段２０は、運転途中において所定時間モータ８の回転数を変化させて制御し、この回転数制御中に温度変化比較手段２７にて温度の変化が所定の値より小さいと判定した場合には報知手段２８により報知するように構成している。
【００１９】
上記構成において図３を参照しながら動作を説明すると、図３（ａ）に示すように、時刻ｔ０で運転を開始し、時刻ｔ１において回転ドラム２の回転数ＮをＮ０からＮ１に下げるように制御し、時刻ｔ２において元の回転数Ｎ０に戻し、終了時刻ｔ３まで運転する。温度センサ１５からの検出温度Ｔｓは、図３（ｂ）に示すように、時刻ｔ１においてＴ０であったが、回転ドラム２の回転数ＮをＮ０からＮ１に下げることによって、時刻ｔ２ではＴ１に上昇する。この検出温度の変化Ｔ１−Ｔ０を演算手段２６により算出してΔＴとし、温度変化比較手段２７により、このΔＴと設定値とを比較する。もしΔＴが設定値よりも小さいときは、図３（ｃ）に示すように、時刻ｔ２において報知手段２８により報知する。
【００２０】
図２において、送風ファン１０が回転することによりガス燃焼部１２により加熱された熱風が回転ドラム２内に導入され衣類を乾燥させる。衣類を乾燥させた熱風はフィルター６を介して機外へ排出される。衣類から発生したリントはフィルター６に溜まり機外へ放出されないように構成されているが、フィルター６上に多量のリントが溜まると、送風ファン１０により発生する風量が減少し、その結果回転ドラム２内に導入される熱風の温度、すなわち温度センサ１５の温度が上昇する。
【００２１】
また、回転ドラム２の回転数ＮをＮ０からＮ１に下げたときについて考えると、送風ファン１０は回転ドラム２とともにモータ８によって駆動されているので、回転ドラム２の回転数を下げると送風ファン１０の回転数もほぼ同じ割合で下がることになる。このときも同様に、送風ファン１０により発生する風量が減少し、その結果、温度センサ１５の温度が上昇する。
【００２２】
フィルター６上に多量のリントが溜まっていない場合には、回転ドラム２の回転数ＮをＮ０からＮ１に下げたとき、温度センサ１５の温度の変化は大きい。すなわち、図３（ｂ）に示すΔＴが大きくなる。フィルター６上に多量のリントが溜まっている場合には、時刻ｔ１において既に風量が少ないため、このときの温度センサ１５の温度Ｔ０が高い水準にあり、回転数ＮをＮ０からＮ１に下げても温度センサ１５の温度の変化は小さい。すなわち図３（ｂ）に示すΔＴは小さくなる。
【００２３】
したがって、温度変化比較手段２７により、演算手段２６により算出したΔＴと設定値とを比較することにより、フィルター６上のリントの溜まり具合を知ることができる。ΔＴが所定の値よりも小さいときは、フィルター６上に多量のリントが溜まっていると判定して報知手段２８により報知し、使用者にフィルター６の掃除を促すことができる。
【００２４】
以上のようなフィルター６のリントの溜まり具合の検知方法では、風量を変化させたときの温度センサ１５の温度の変化から判定しているため、雰囲気温度の影響を受けることなく正確な検知ができる。
【００２５】
（実施例２）
図１における制御手段２０は、報知手段２８による報知を運転終了後に行うように構成している。他の構成は上記実施例１と同じである。
【００２６】
上記構成において図４を参照しながら動作を説明すると、上記実施例１と同様に、回転ドラム２の回転数を下げるように制御し、この回転数制御中に温度変化比較手段にて温度の変化が所定の値より小さいと検出した場合に、報知手段２８による報知を運転終了時刻ｔ３において行う。したがって、使用者が運転終了後に衣類を取り出すときに報知することができ、効果的にフィルター６の掃除を使用者に伝達することができる。
【００２７】
（実施例３）
図１における温度変化比較手段２７は、演算手段２６にて得られた温度変化の値を複数の設定値と比較し、その水準に応じて報知手段２８による報知を行うように構成している。他の構成は上記実施例１と同じである。
【００２８】
上記構成において図５を参照しながら動作を説明すると、図５（ａ）に示すように、時刻ｔ０で運転を開始し、時刻ｔ１において回転ドラム２の回転数ＮをＮ０からＮ１に下げるように制御し、時刻ｔ２において元の回転数Ｎ０に戻し、終了時刻ｔ３まで運転する。図５（ｂ）に示すように、温度センサ１５からの検出温度Ｔｓは時刻ｔ１においてＴ０であったが、時刻ｔ２ではＴ１に上昇する。この検出温度の変化Ｔ１−Ｔ０を演算手段２６により算出してΔＴとし、温度変化比較手段２７により、このΔＴを複数の設定値、たとえばＴａ、Ｔｂ、Ｔｃと比較する。ここで、Ｔａ＞Ｔｂ＞Ｔｃとする。
【００２９】
今、演算手段２６により算出したΔＴがＴａ、Ｔｂよりも小さく、Ｔｃよりも大きいときは、報知手段２８により報知するが、その報知内容は図６に示すように、フィルター６のリントの溜まり具合の水準に応じて段階的に報知する。この例では、フィルター６のリントの溜まり具合が２段階目になっているということを示している。フィルター６にリントが多く溜まっているほど、ΔＴは小さくなることを利用し、雰囲気温度の影響を受けずにフィルター６のリントの溜まり具合を正確に検知し、リントの溜まり具合を段階的に報知することができる。
【００３０】
（実施例４）
図７および図８に示すように、回転ドラム２の投入口部には蓋２９を配設しており、蓋スイッチ３０は蓋２９の開閉に連動して作動する。制御手段３１は、運転中に蓋スイッチ３０が開の状態になったときは運転を一時停止し、蓋スイッチ３０が再び閉の状態になったときは運転を再開するとともに、温度変化比較手段２７からの情報を一旦取り消し、所定時間モータ８の回転数を変化させて制御し、この回転数制御中に温度変化比較手段２７にて温度の変化が所定の値より小さいと判定した場合には報知手段２８により報知するように構成している。他の構成は上記実施例１と同じである。
【００３１】
上記構成において図９を参照しながら動作を説明すると、図９（ａ）に示すように、時刻ｔ４で運転を開始し、時刻ｔ５において回転ドラム２の回転数ＮをＮ０からＮ１に下げるように制御し、時刻ｔ６において元の回転数Ｎ０に戻す。図９（ｂ）に示すように、温度センサ１５からの検出温度Ｔｓは時刻ｔ５においてＴ０であったが、時刻ｔ６ではＴ１に上昇する。この検出温度の変化Ｔ１−Ｔ０を演算手段２６により算出してΔＴＡとし、温度変化比較手段２７により、このΔＴＡと設定値とを比較する。もしΔＴＡが設定値よりも小さいときは、図９（ｃ）に示すように、時刻ｔ６において報知手段２８により報知する。
【００３２】
時刻ｔ６以降の時刻ｔ７に使用者が報知手段２８により報知に気付いて、蓋２９を開けてフィルター６を取り出しリントを除去したとすると、時刻ｔ７より運転は一時停止される。時刻ｔ８において再び蓋２９を閉めると、運転が再開される。図９（ｄ）に蓋スイッチ３０の出力を示す。運転が再開された時刻ｔ８において、温度変化比較手段２７にて時刻ｔ６に検出したΔＴＡが設定値よりも小さいという情報は取り消して、報知手段２８による報知も中止する。
【００３３】
運転再開後、図９（ａ）に示すように、時刻ｔ９において回転ドラム２の回転数ＮをＮ０からＮ１に下げるように制御し、時刻ｔ１０において元の回転数Ｎ０に戻すという動作を再度行う。図９（ｂ）に示すように、温度センサ１５からの検出温度Ｔｓは時刻ｔ９においてＴ２であったが、時刻ｔ１０ではＴ３に上昇する。この検出温度の変化Ｔ３−Ｔ２をΔＴＢとし、このΔＴＢと設定値とを比較する。使用者が時刻ｔ７から時刻ｔ８の間でフィルター６のリントを除去を実施したとすれば、ΔＴＢは設定値よりも大きくなっており、図９（ｃ）の実線で示すように、報知手段２８による報知はせずに時刻ｔ１１の運転終了まで運転する。
【００３４】
もしΔＴＢが設定値よりも小さい場合は、使用者が時刻ｔ７から時刻ｔ８の間でフィルター６のリントを除去を実施しなかったかまたは不十分であったと判断し、図９（ｃ）の破線で示すように、時刻ｔ１０において報知手段２８により報知する。
【００３５】
このように、使用者が運転途中で蓋２９を開閉してフィルター６のリントを除去した場合は報知を取り消すことができて、使い勝手を向上することができ、運転再開後に、フィルター６にリントが溜まっている場合は、雰囲気温度の影響を受けずにフィルター６のリントの溜まり具合を正確に検知して報知することができる。
【００３６】
【発明の効果】
本発明の請求項１に記載の発明によれば、熱源となるガス燃焼部と、衣類を収納し乾燥させる回転ドラムと、前記回転ドラム内に前記ガス燃焼部により加熱された熱風を供給する送風ファンと、前記回転ドラムと前記送風ファンを駆動するモータと、前記回転ドラムに装着され衣類から出るリントが機外に放出されないように前記リントを溜めるフィルターと、前記ガス燃焼部の近傍に配設され前記ガス燃焼部により加熱された熱風の温度を検出する温度センサと、前記温度センサからの温度を検出する温度検知手段と、前記回転ドラムの回転数を検出する回転数検知手段と、前記温度検知手段により検出された温度の変化を算出する演算手段と、前記演算手段にて得られた温度変化の値を所定の値と比較する温度変化比較手段と、前記モータなどの動作を制御する制御手段と、前記フィルターに多量のリントが溜まっていることの報知を行う報知手段とを備え、前記制御手段は、運転開始後第１の所定時刻において前記モータの回転数を所定の回転数に下げた後、所定時間後の第２の所定時刻において元の回転数に戻すように制御し、この第１の所定時刻と第２の所定時刻間の所定時間中に、前記温度変化比較手段が、前記演算手段にて算出した温度変化の値と前記所定の値とを比較し、前記温度変化の値が前記所定の値より小さいと判定した場合には、前記報知手段により報知するように構成したから、モータの回転数を変化させて制御することにより、風量を変化させたときの温度センサの温度の変化からフィルターのリントの溜まり具合を判定することができ、雰囲気温度の影響を受けずにフィルターのリントの溜まり具合を正確に検知して報知することができる。
【００３７】
また、請求項２に記載の発明によれば、制御手段は、報知手段による報知を運転終了後に行うように構成したから、フィルターのリントの溜まり具合を正確に検知し、使用者が運転終了後に衣類を取り出すときに報知することができ、効果的にフィルターの掃除を使用者に伝達することができる。
【００３８】
また、請求項３に記載の発明によれば、温度変化比較手段は、演算手段にて得られた温度変化の値を複数の所定の値と比較し、その水準に応じて報知手段による報知を行うように構成したから、雰囲気温度の影響を受けずにフィルターのリントの溜まり具合を正確に検知し、リントの溜まり具合を段階的に報知することができる。
【００３９】
また、請求項４に記載の発明によれば、回転ドラムの投入口部に配設した蓋の開閉に連動して作動する蓋スイッチを備え、制御手段は、運転中に前記蓋スイッチが開の状態になったとき運転を一時停止し、前記蓋スイッチが再び閉の状態になったとき運転を再開するとともに、温度変化比較手段からの情報を一旦取り消し、運転開始後第３の所定時刻においてモータの回転数を所定の回転数に下げた後、所定時間後の第４の所定時刻において元の回転数に戻すように制御し、この第３の所定時刻と第４の所定時刻間の所定時間中に、温度変化比較手段が、演算手段にて算出した温度変化の値と所定の値とを比較し、前記温度変化の値が前記所定の値より小さいと判定した場合には、報知手段により報知するように構成したから、使用者が運転途中でフィルターのリントを除去するために蓋を開閉した場合は、フィルターのリントの溜まりによる報知を取り消すことができて使い勝手を向上することができ、運転再開後に、フィルターにリントが溜まっている場合は、雰囲気温度の影響を受けずにフィルターのリントの溜まり具合を正確に検知して報知することができる。
【図面の簡単な説明】
【図１】  本発明の第１の実施例のガス衣類乾燥機のブロック図
【図２】  同ガス衣類乾燥機の縦断面図
【図３】  同ガス衣類乾燥機の動作タイムチャート
【図４】  本発明の第２の実施例のガス衣類乾燥機の動作タイムチャート
【図５】  本発明の第３の実施例のガス衣類乾燥機の動作タイムチャート
【図６】  同ガス衣類乾燥機のリント溜まりの報知例の正面図
【図７】  本発明の第４の実施例のガス衣類乾燥機のブロック図
【図８】  同ガス衣類乾燥機の縦断面図
【図９】  同ガス衣類乾燥機の動作タイムチャート
【図１０】  従来のガス衣類乾燥機の縦断面図
【符号の説明】
２  回転ドラム
８  モータ
１０  送風ファン
１２  ガス燃焼部
１５  温度センサ
１８  回転数検知手段
２０  制御手段
２４  温度検知手段
２６  演算手段
２７  温度変化比較手段
２８  報知手段
【図１】
0003757465.tif 000002
【図２】
0003757465.tif 000003
【図３】
0003757465.tif 000004
【図４】
0003757465.tif 000005
【図５】
0003757465.tif 000006
【図６】
0003757465.tif 000007
【図７】
0003757465.tif 000008
【図８】
0003757465.tif 000009
【図９】
0003757465.tif 000010
【図１０】
0003757465.tif 000011